(57)【要約】      （修正有）【課題】眼鏡に吊して使用し、一旦眼鏡に吊り下げた後で、眼鏡を外さずとも容易に取り外すことができるフェイスシールドを提供する。【解決手段】透明で弾性のある樹脂プレートからなり、顔面の左右方向に沿った方向に湾曲させた状態で眼鏡に吊り下げて人の顔面を覆うように使用するフェイスシールド１において、樹脂プレートは眼鏡１１のつる１２に吊り下げるための左右一対の吊り下げ部３を備えている。吊り下げ部３には上側に揺動基部を有する第１の爪６と、下側に揺動基部を有する第２の爪７が隣接して形成されており、吊り下げ部３と第１の爪６と第２の爪７の間に眼鏡１１のつる１２を挟んで吊り下げ支持する。【選択図】図３
0003230561.tif 000002
【実用新案登録請求の範囲】
【請求項１】
透明で弾性のある樹脂プレートからなり、顔面の左右方向に沿った方向に湾曲させた状態で眼鏡に吊り下げて人の顔面を覆うように使用するフェイスシールドにおいて、
前記樹脂プレートは眼鏡のつるに吊り下げるための左右一対の吊り下げ部を備え、
前記吊り下げ部には上側に揺動基部を有する第１の揺動片と、下側に揺動基部を有する第２の揺動片が隣接して形成されており、前記吊り下げ部と前記第１の揺動片と前記第２の揺動片の間に前記眼鏡のつるを挟んで吊り下げ支持するようにしたことを特徴とするフェイスシールド。
【請求項２】
前記樹脂プレートは顔面前方に配置される遮蔽壁を備え、前記吊り下げ部は前記遮蔽壁の左右両側から上方に向かって延出されていることを特徴とする請求項１に記載のフェイスシールド。
【請求項３】
前記遮蔽壁の上縁には使用時に顔側に先端側が傾斜して配置される張り出し壁が形成されていることを特徴とする請求項２に記載のフェイスシールド。
【請求項４】
前記遮蔽壁の中央位置には使用時の顔側となる面側に折った上下方向に延びる折り曲げ線部が形成されていることを特徴とする請求項２又は３に記載のフェイスシールド。
【請求項５】
前記遮蔽壁と前記吊り下げ部の境界領域には使用時の顔側となる面側に折った上下方向に延びる折り曲げ線部が形成されていることを特徴とする請求項２〜４のいずれかに記載のフェイスシールド。
【請求項６】
前記第１の揺動片と前記第２の揺動片は前記吊り下げ部を前記揺動基部となる部分を残して前記第１の揺動片及び前記第２の揺動片の形状となるようにカットすることで形成されていることを特徴とする請求項１〜５のいずれかに記載のフェイスシールド。
【請求項７】
前記吊り下げ部に形成される前記第１の揺動片と前記第２の揺動片の組は、２つの前記第１の揺動片の間に１つの前記第２の揺動片を配置してなることを特徴とする請求項１〜６のいずれかに記載のフェイスシールド。
【考案の詳細な説明】
【技術分野】
【０００１】
本考案は、眼鏡に取り付けるフェイスシールド等に関するものである。
【背景技術】
【０００２】
従来から粉塵や液滴等の粒子が顔にかかるのを防止するために、眼鏡に吊して使用する透明な樹脂プレートからなるフェイスシールドが提案されている。また、このような使用目的に加えて近年ではコロナウイルスの感染を防止したり、人に自身の飛沫を飛ばさないようにするためにあるいは人の飛沫を受けないように眼鏡に吊して使用するフェイスシールドが提案されている。これらのフェイスシールドの一例として特許文献１と特許文献２を示す。
特許文献１ではフェイスシールド（顔面防御シート１０）に嵌合穴１２と係合穴１６を形成し、眼鏡のつるをそれら穴１２、１６に挿通させて使用するようにしている。また、特許文献２ではフェイスシールド１を吊り下げるためのアーム３の先端に舌片４を形成し、眼鏡のつるにアーム３を巻いてスリット５に舌片４を差し込んでフェイスシールド１を眼鏡に吊り下げるというものである。
【先行技術文献】
【特許文献】
【０００３】
【特許文献１】実用新案登録第３２２７８９８号公報
【特許文献２】実用新案登録第３２２８０５５号公報
【考案の概要】
【考案が解決しようとする課題】
【０００４】
しかし、特許文献１では嵌合穴１２に眼鏡のつるを通しているため、顔面防御シート１０を眼鏡から取り外す場合には、一旦眼鏡を外して顔面防御シート１０をつるから抜き取らないといけないので取り外しが面倒である。また、特許文献２ではスリット５と舌片４の関係でフェイスシールド１のアーム３を眼鏡のつるに固定するのであるが、アーム３がリング状につるに挿通されているため、特許文献１と同様に取り外しのためには眼鏡を外す必要がある。
このようなことから、一旦眼鏡に吊り下げた後で、眼鏡を外さずとも容易に取り外すことができるフェイスシールドが望まれていた。
【課題を解決するための手段】
【０００５】
上記の目的を達成するための第１の手段として、透明で弾性のある樹脂プレートからなり、顔面の左右方向に沿った方向に湾曲させた状態で眼鏡に吊り下げて人の顔面を覆うように使用するフェイスシールドにおいて、前記樹脂プレートは眼鏡のつるに吊り下げるための左右一対の吊り下げ部を備え、前記吊り下げ部には上側に揺動基部を有する第１の揺動片と、下側に揺動基部を有する第２の揺動片が隣接して形成されており、前記吊り下げ部と前記第１の揺動片と前記第２の揺動片の間に前記眼鏡のつるを挟んで吊り下げ支持するようにした。
このような手段によれば、第１の揺動片と第２の揺動片は上下逆向きに配置されているため、吊り下げ部を撓ませると第１の揺動片は撓まずに揺動基部を中心に下方側が開き、第２の揺動片も撓まずに揺動基部を中心に上方側が開くこととなる。このように第１の揺動片と第２の揺動片と吊り下げ部との間に隙間をつくり、その隙間に眼鏡のつるを配置するようにすると、吊り下げ部は第１の揺動片と第２の揺動片によって眼鏡のつるに対して支持されることとなる。そのため、眼鏡のつるに対するフェイスシールドの上下動があってもフェイスシールドは第１の揺動片又は第２の揺動片がつるに係合して移動が規制されることとなる。
そして、フェイスシールドの使用状態からフェイスシールドを取り外す際には、吊り下げ部を眼鏡のつるから離間させることで第１の揺動片と第２の揺動片は相対的に眼鏡のつるによって押動されることとなり揺動基部を中心に撓んで眼鏡のつるから外れるため、フェイスシールドの装用者は眼鏡を外してつるの長手方向にフェイスシールドを移動させなくともフェイスシールドを簡単に取り外すことができる。
「第１の揺動片と第２の揺動片」は吊り下げ部をカットして形成してもよく、他の部材を溶着して形成するようにしてもよい。その場合、他の部材は必ずしも透明である必要はない。これらの形状は例えば、先端側が湾曲側となるＵ字状（舌状）とすることがよい。また、第１の揺動片と第２の揺動片はそれぞれ複数あってもよく、第１の揺動片だけが複数でもよい。第１の揺動片と第２の揺動片の形状は同じでも違っていてもよい。
「透明な樹脂プレート」は顔面形状に対応して顔面の左右方向に沿った方向に湾曲した状態で使用される。湾曲前は平面であってもよく、当初から湾曲した形態であってもよい。平面である場合には湾曲可能な可撓性を有している。材質としては、透明で湾曲させることで付勢力を与えられて弾性を有することとなるものであればよく、例えは、ポリカーボネート、ポリエチレンテレフタレート（ＰＥＴ）、アクリル樹脂等がよい。透明の概念には半透明や着色された透明体も含む。
【０００６】
第２の手段では、前記樹脂プレートは顔面前方に配置される遮蔽壁を備え、前記吊り下げ部は前記遮蔽壁の左右両側から上方に向かって延出されるようにした。
このような構成であれば吊り下げ部は眼鏡のフレームを避けて湾曲させた樹脂プレートの外方において眼鏡のつる方向に配置させることができるからである。
第３の手段では、前記遮蔽壁の上縁には使用時に顔側に先端側が傾斜して配置される張り出し壁が形成されるようにした。
これによって、使用者のくしゃみやせきに起因する飛沫や会話における微細な飛沫等が外方に拡散するのが防止されることとなる。
第４の手段では、前記遮蔽壁の中央位置には使用時の顔側となる面側に折った上下方向に延びる折り曲げ線部が形成されるようにした。
これによってフェイスシールドの使用時に樹脂プレートを顔面の左右方向に沿った方向に湾曲させやすくなり、顔面を粉塵や液滴から守ったり人に自身の飛沫を飛ばさないようにしたりするフェイスシールドとしての形状を保ちやすくする。
第５の手段では、前記遮蔽壁と前記吊り下げ部の境界領域には使用時の顔側となる面側に折った上下方向に延びる折り曲げ線部が形成されるようにした。
これによってフェイスシールドの使用時に樹脂プレートを顔面の左右方向に沿った方向に湾曲させやすくなり、顔面を粉塵や液滴から守ったり人に自身の飛沫を飛ばさないようにしたりするフェイスシールドとしての形状を保ちやすくする。特に、第４の手段の折り曲げ線部と組み合わせることにより、フェイスシールドとしての湾曲した形状が保たれやすくなる。
【０００７】
第６の手段では、前記第１の揺動片と前記第２の揺動片は前記吊り下げ部を前記揺動基部となる部分を残して前記第１の揺動片及び前記第２の揺動片の形状となるようにカットすることで形成するようにした。
つまり、吊り下げ部の一部を切ってそのまま第１の揺動片と第２の揺動片とすることである。これによって、簡単に第１の揺動片と第２の揺動片を形成することができ、低コスト化に貢献する。この手段の裏返しとして、第１の揺動片や第２の揺動片を別体で構成して吊り下げ部に接着や熱溶着するようにしてもよい。
第７の手段では、前記吊り下げ部に形成される前記第１の揺動片と前記第２の揺動片の組は、２つの前記第１の揺動片の間に１つの前記第２の揺動片を配置してなるようにした。
これによって、第１の揺動片と第２の揺動片の組み合わせてとしては、もっとも少ない数でもっとも吊り下げ部を眼鏡のつるに安定的に保持させることができる。
本願考案は以下の実施の形態に記載の構成に限定されない。各実施の形態や実施例の構成要素は任意に選択して組み合わせて構成するとよい。また各実施の形態や変形例の任意の構成要素と、考案を解決するための手段に記載の任意の構成要素または考案を解決するための手段に記載の任意の構成要素を具体化した構成要素とは任意に組み合わせて構成するとよい。これらについても本願の補正または分割出願等において権利取得する意思を有する。
【考案の効果】
【０００８】
本考案のようなフェイスシールドであれば、使用状態において眼鏡を外さなくとも眼鏡から簡単に取り外すことができる。
【図面の簡単な説明】
【０００９】
【図１】本考案の実施の形態のフェイスシールドの使用前の状態の平面図。
【図２】同じ実施の形態のフェイスシールドを眼鏡に取り付けた状態を眼鏡前面からの見た状態の正面図。
【図３】同じ実施の形態のフェイスシールドを眼鏡に取り付けた状態を眼鏡側面からの見た状態の側面図。
【図４】同じ実施の形態のフェイスシールドを眼鏡に取り付けた状態を眼鏡上側面からの見た状態の平面図。
【図５】同じ実施の形態のフェイスシールドを眼鏡に取り付ける工程を説明する図であって（ａ）は吊り下げ部の斜視図、（ｂ）は吊り下げ部を撓ませて眼鏡のつるを挿通させる空間を形成した状態を説明する説明図、（ｃ）は眼鏡のつるに吊り下げ部を吊り下げた状態を説明する説明図。
【考案を実施するための形態】
【００１０】
以下本考案のフェイスシールドを具体化した実施の形態を図面に基づいて説明する。
図１に示すように、フェイスシールド１は横長で左右方向の中央において鏡像対称となるような基本外形を備えた透明で平板な樹脂プレートによって構成されている。本実施の形態では樹脂プレートはポリエチレンテレフタレート製であり、０．２ｍｍ程度の厚さで弾性を有しているため、外力で容易に撓んで付勢力を有するようになり、その付勢力が解放されることで元の平板の状態に復帰する。フェイスシールド１の中央領域は遮蔽壁２とされ、遮蔽壁２の左右両側領域は吊り下げ部３とされている。遮蔽壁２は図１の平面視で中央がもっとも膨らんで左右方向に向かって徐々に上下幅が狭くなる略楕円形状の外形の領域として形成されている。吊り下げ部３は遮蔽壁２と明確な境界はなく遮蔽壁２の両側に張り出すように形成されている。吊り下げ部３は遮蔽壁２の左右の終端領域と基部領域を共有し、図１の平面視において基部領域から遮蔽壁２の下縁の延出角度に沿って斜め上方に向かって延出され、徐々に真上方向（水平方向に対する９０度方向）を指向するような角度に湾曲させられている。吊り下げ部３は全体として振り上げた腕状の外形形状とされている。吊り下げ部３の先端縁は水平にカットされて角部が隅丸に面取りされた形状とされている。遮蔽壁２の中央の鏡像対称となる位置には上下に延びる線状の第１の折り目４が形成されている。フェイスシールド１は第１の折り目４を基準にごく浅く表側（顔に対して外側）に山状となるように折られている。遮蔽壁２と吊り下げ部３の境界領域には斜めに延びる線状の第２の折り目５が形成されている。フェイスシールド１は第２の折り目５を基準にごく浅く表側に山状となるように折られている。
【００１１】
左右の吊り下げ部３の先端縁寄りには第１の揺動片及び第２の揺動片としての第１の爪６との第２の爪７が形成されている。第１の爪６及び第２の爪７は吊り下げ部３を構成する樹脂プレートをカットすることで形成されている。第１の爪６はＵ字状（あるいは舌状）の形状に構成され、湾曲側が先端側となり、上側が吊り下げ部３と一体化された揺動部となる。第２の爪７も第１の爪６と同形状に構成され、湾曲側が先端側となり、下側が吊り下げ部３と一体化された揺動部となる。本実施の形態では２つの第１の爪６の間に１つの第２の爪７が配置されるように吊り下げ部３の先端縁の幅方向（長さ方向）において並列に配置されている。
遮蔽壁２の上縁には上縁に沿って形成された上方に張り出した２つの張り出し壁としての張り出し爪８が形成されている。張り出し爪８は外に凸となるカーブから構成された樹脂プレートの一部であり、第３の折り目９を基準にフェイスシールド１の使用時において顔側に先端側が若干傾斜するように（つまり内側に）折られている。左右の張り出し爪８は鏡像対称な形状であり、更に第１の折り目４を基準に鏡像対称となるように配置されている。
【００１２】
次に、このように構成されたフェイスシールド１の使用方法について説明する。
図２〜図４に示すように、フェイスシールド１を撓ませて吊り下げ部３を眼鏡１１のつる１２の吊り下げて装着する。尚、ここでは、吊り下げ部３が眼鏡１１のつる１２の内側に配置されるように装着するケースで説明するが、吊り下げ部３はつる１２の外側に配置されても構わない。
フェイスシールド１は第１の爪６及び第２の爪７がつる１２と交差して吊り下げ部３と第１の爪６及び第２の爪７の間につる１２が挟まれることでつる１２に対して吊り下げ保持される。図３及び図４に示すように、フェイスシールド１は吊り下げ部３がつる１２の前方の智（ヨロイ）１３に近接したもっとも前方に配置した状態を基準に配置される。若干の前後の配置ずれは問題にはならない。このような配置状態で図３に示すように、フェイスシールド１は遮蔽壁２が装用者の鼻から口の前方に装用者の皮膚に触らない程度の間隔を空けて配置されることとなる。
つる１２への吊り下げ部３の取り付けは次のようにして行われる。
まず、図５（ａ）に示すように、撓んでいない状態の吊り下げ部３の先端寄りを図５（ｂ）のように撓ませるようにする。すると、吊り下げ部３の外面に対して第１の爪６及び第２の爪７が撓まずに残るため、これらと吊り下げ部３の外面との間に列方向に連なる隙間Ｓが形成されることとなる。この隙間Ｓに眼鏡１１のつる１２を嵌挿させて吊り下げ部３の撓みをなくす（つまり撓ませた際の付勢力を解放する）と、図５（ｃ）に示すように眼鏡１１のつる１２を第１の爪６及び第２の爪７と吊り下げ部３の外面とによって挟み込むようになり、フェイスシールド１は吊り下げられることとなる。この際に、吊り下げ部３はつる１２に対して下方側への移動は第１の爪６によって規制され、上側への移動は第２の爪７によって規制されることとなり、上下動ともに抑制されてフェイスシールド１は吊り下げられた状態で安定する。
装用者はこのようにフェイスシールド１が装着された眼鏡１１を装用し、フェイスシールド１を必要としなくなった場合には吊り下げ部３をつる１２から離間する方向に引っ張るようにする。すると、第１の爪６及び第２の爪７は揺動基部を中心に撓み、つる１２からすり抜けることができるため、装用者は眼鏡１１を外さなくとも容易にフェイスシールド１を取り外すことができることとなる。
【００１３】
このように構成されたフェイスシールド１では次のような効果が奏される。
（１）眼鏡１１のつる１２に係合している第１の爪６及び第２の爪７は揺動して開放端を拡げることでつる１２との係合を解除することができるため、装用者は眼鏡１１を外さなくとも容易にフェイスシールド１を取り外すことができる。
（２）２つの第１の爪６とその間の１つ第２の爪７という３つの支持部が並列してつる１２に支持されることとなるため、不必要に爪を増やさずにもっとも吊り下げ部３をぐらつかせずにつる１２に保持させることができ、吊り下げた状態でよく安定する。
（３）目は眼鏡によって保護されるとともに、フェイスシールド１が装用者の鼻や口の前に配置されるため、外に露出した顔の粘膜部分がすべて覆われることとなり、粉塵や液滴等の粒子や他人の咳等の飛沫を受けにくくなる。
（４）遮蔽壁２の上縁に張り出し爪８が形成されているため、自身の口からの飛沫が外側に飛び出しにくくなる。
（５）第１の折り目４と第２の折り目５によってフェイスシールド１は内側に折れ癖がついているため、吊り下げ部３をつる１２に取り付けやすく、また、使用状態でフェイスシールド１が眼鏡１１から外れにくい。
【００１４】
上記実施の形態は本考案の原理およびその概念を例示するための具体的な実施の形態として記載したにすぎない。つまり、本考案は上記の実施の形態に限定されるものではない。本考案は、例えば次のように変更した態様で具体化することも可能である。
・フェイスシールド１の形状、厚み、素材等の条件は上記は一例である。
・第１の爪６及び第２の爪７をフェイスシールド１の樹脂プレートを使用せず後付けにしてもよい。例えば、ステープラーや熱による溶着で揺動片を取り付けるようにしてもよい。その場合には透明でなくともよい。第１の爪６及び第２の爪７の形状は上記と同じでなくとも同様の効果が得られれば変更した態様でもよい。
・第１の爪６及び第２の爪７の数を適宜変更してもよい。上記では第１の爪６及び第２の爪７の配置が、∪  ∩  ∪のように配置されていたが例えば∩  ∪  ∩でもよい。
・その他、本考案の趣旨を逸脱しない態様で実施することは自由である。
【符号の説明】
【００１５】
１…フェイスシールド、３…吊り下げ部、６…第１の揺動片としての第１の爪、７…第２の揺動片としての第２の爪、１１…眼鏡、１２…つる。
【図１】
0003230561.tif 000003
【図２】
0003230561.tif 000004
【図３】
0003230561.tif 000005
【図４】
0003230561.tif 000006
【図５】
0003230561.tif 000007